(57)【要約】【課題】筐体を板状部材に必要十分な強度で取付けることが可能であり、且つ取付け及び取外し操作の簡単な筐体取付構造を提供する。【解決手段】胴部２ａ及びつば２ｃを有する筐体２を、胴部２ａの背面側から板状部材３に穿設された取付孔４に嵌入し、つば２ｃと胴部２ａに装着される取付具１とにより取付孔４の周囲の板状部材３を間に挟むようにして筐体２を板状部材３に取り付ける筐体取付構造であって、取付具１は、胴部２ａに設けられた係合部５と係合する第１支軸１１が一端部に設けられた第１部材１０と、取付孔４の周囲の板状部材３と当接する当接部材２１が一端部に設けられた第２部材２０とを備え、第２部材２０は、当接部材２１が設けられた一端部を回動端部として所定範囲で回動可能に且つ第１支軸１１と当接部材２１との距離が長くなる方向に回動するように付勢部材１３により付勢されて、第２支軸１２により第１部材１０と連結されている。【選択図】  図３
2008190932.tif 000002
【特許請求の範囲】
【請求項１】
胴部及び前面の縁に設けられたつばを有する筐体を、上記胴部の背面側から板状部材に穿設された取付孔に嵌入し、上記つばと上記胴部に装着される取付具とにより上記取付孔の周囲の板状部材を間に挟むようにして上記筐体を上記板状部材に取り付ける筐体取付構造であって、
上記取付具は、上記筐体の胴部に設けられた係合部と係合する第１支軸が一端部に設けられた第１部材と、上記取付孔の周囲の板状部材と当接する当接部材が一端部に設けられた第２部材とを備え、
上記第２部材は、上記当接部材が設けられた一端部を回動端部として所定範囲で回動可能に且つ上記第１支軸と上記当接部材との距離が長くなる方向に回動するように付勢部材により付勢されて、第２支軸により上記第１部材と連結されており、
上記筐体を上記板状部材に取り付けるときには上記第１支軸を上記係合部と係合させ且つ上記当接部材を上記取付孔の周囲の板状部材と当接させた状態で上記付勢部材の付勢力に抗して上記取付具を上記第１支軸の周りに所定位置まで回動させて上記当接部材により上記取付孔の周囲の板状部材を上記つばに向かって押圧する一方、
上記筐体を上記板状部材から取り外すときには上記所定位置から逆方向に上記取付具を回動させて上記当接部材による上記取付孔の周囲の板状部材の押圧を解除することを特徴とする筐体取付構造。
【請求項２】
上記取付具を上記第１支軸の周りに回動させるときに上記第２支軸と係合して上記取付具の上記所定位置までの回動及び上記所定位置から逆方向への回動を案内する案内部が上記筐体の胴部に設けられている、請求項１記載の筐体取付構造。
【請求項３】
上記所定位置が、上記付勢部材の付勢力が最大となる上記取付具の回動位置を若干過ぎるべき位置に設定されている、請求項１又は２記載の筐体取付構造。
【請求項４】
上記第２部材が上記第１部材側に突出する突起を有するとともに、上記第１部材が上記突起と係合して上記第２部材の第１部材に対する回動範囲を所定範囲に規定する回動範囲規定長孔を有してなる、請求項１〜３記載の筐体取付構造。
【請求項５】
上記当接部材の当接面が、上記当接部材の上記第１支軸を中心とする回動半径に対応する曲率で曲げられている、請求項１〜４記載の筐体取付構造。
【発明の詳細な説明】
【技術分野】
【０００１】
本発明は、筐体を板状部材に取付ける場合に使用される筐体取付構造に関し、例えば調節計等の計器類のケースを計器取付用パネルに取付ける場合に使用される筐体取付構造に関する。
【背景技術】
【０００２】
従来、この種の取付装置としては、計器ケースの前面操作部側の外周にフランジを突設させ、この計器ケースの胴部をパネルの取付孔に嵌入し、ケース胴部に装着した取付具によりフランジとの間で取付孔周囲のパネルを間に挟むようにして、計器ケースをパネルに固定する構成が良く知られている。そして、このような取付具は例えば、ねじをフランジに対して進退可能に設けて、ねじの軸部先端でパネルを裏面側から押圧するようにして、ケースをパネルに固定している。
【０００３】
【特許文献１】特開平６−６９６６６号公報
【０００４】
【特許文献２】特開平１１−１６０１０９号公報
【発明の開示】
【発明が解決しようとする課題】
【０００５】
しかしながら、上述した構成の取付装置では、ねじを使用して計器ケースをパネルに固定しているために、計器ケースの取り付け、取り外しの際にねじ回し（ドライバー）等の工具が必要となるとともに、煩雑なねじ回し操作が必要となり、取り付け、取り外しが頻繁に行われる場合には、その煩雑さが増幅されるという問題が生じる。
【０００６】
従って、本発明は、上述した課題を解決するために提案されたものであり、その目的は、筐体を板状部材に必要十分な強度で取り付けることが可能であり、且つ取付け及び取外し操作の簡単な筐体取付構造を提供することにある。
【課題を解決するための手段】
【０００７】
上記目的を達成するために、本発明は、胴部及び前面の縁に設けられたつばを有する筐体を、上記胴部の背面側から板状部材に穿設された取付孔に嵌入し、上記つばと上記胴部に装着される取付具とにより上記取付孔の周囲の板状部材を間に挟むようにして上記筐体を上記板状部材に取り付ける筐体取付構造であって、上記取付具は、上記筐体の胴部に設けられた係合部と係合する第１支軸が一端部に設けられた第１部材と、上記取付孔の周囲の板状部材と当接する当接部材が一端部に設けられた第２部材とを備え、上記第２部材は、上記当接部材が設けられた一端部を回動端部として所定範囲で回動可能に且つ上記第１支軸と上記当接部材との距離が長くなる方向に回動するように付勢部材により付勢されて、第２支軸により上記第１部材と連結されており、上記筐体を上記板状部材に取り付けるときには上記第１支軸を上記係合部と係合させ且つ上記当接部材を上記取付孔の周囲の板状部材と当接させた状態で上記付勢部材の付勢力に抗して上記取付具を上記第１支軸の周りに所定位置まで回動させて上記当接部材により上記取付孔の周囲の板状部材を上記つばに向かって押圧する一方、上記筐体を上記板状部材から取り外すときには上記所定位置から逆方向に上記取付具を回動させて上記当接部材による上記取付孔の周囲の板状部材の押圧を解除することを特徴とする。
【０００８】
前面の縁につばを有する筐体の胴部を背面側から板状部材の取付孔に嵌入し、筐体のつばと取付孔の周囲の板状部材とを重ね合わせ、取付具の第１支軸を筐体の胴部の係合部と係合させ且つ取付具の当接部材を取付孔の周囲の板状部材と当接させた状態で、付勢部材の付勢力に抗して取付具を第１支軸の周りに所定位置まで回動させることにより、当接部材により取付孔の周囲の板状部材が筐体のつばに向かって押圧されて、筐体が板状部材に取り付けられる。一方、筐体を板状部材から取り外すときには、取付具を上記第１支軸の周りに所定位置から逆方向に回動させることによって上記当接部材による押圧が解除されて、筐体が取り外し可能となる。
このように、本発明は、取付具の第１支軸を係合部に係合させる係合操作と取付具の回動操作とを行うだけで、筐体の板状部材への取り付け及び取り外しができるので、従来技術におけるようなねじ回し（ドライバー）等の工具及び煩雑なねじ回し操作を要せずに、ワンタッチの操作で筐体の板状部材への取り付け、取り外しを行うことが可能となる。
【０００９】
上記取付具を上記第１支軸の周りに回動させるときに上記第２支軸と係合して上記取付具の上記所定位置までの回動及び上記所定位置から逆方向への回動を案内する案内部が上記筐体の胴部に設けられているのが望ましい。
第２支軸が案内部と係合して、筐体を板状部材に取り付けたときに取付具が位置すべき所定位置までの取付具の第１支軸の周りの回動が案内される。これにより、取付具を所定位置まで確実に回動させて、筐体を板状部材に確実に取り付けることが可能となる。一方、筐体を板状部材から取り外すときにも第２支軸が案内部と係合して取付具の第１支軸の周りの回動が案内されるので回動操作が容易となり、筐体を板状部材から取り外す取り外し操作が容易となる。
【００１０】
上記所定位置が、上記付勢部材の付勢力が最大となる上記取付具の回動位置を若干過ぎるべき位置に設定されているのが望ましい。
このような位置に筐体を取り付けるときの所定位置を設定することによって、加震などに起因して取付具が外れるのを防止することができる。すなわち、このような位置に設定された所定位置から取付具を外すように取付具を逆方向に回動させるためには、一旦、付勢部材の付勢力が最大となる位置まで付勢部材の付勢力に抗して取付具を回動させることが必要となる。このため、少々の加震により取付具が逆方向に回動して外れたりするのを避けることができる。これに対して、例えば付勢部材の付勢力が最大となる取付具の回動位置を、筐体を取り付けるときの所定位置として設定すると、取付具の逆方向への回動が非常に起こり易くなる。したがって、このような位置に所定位置を設定することは望ましくない。
【００１１】
上記第２部材が上記第１部材側に突出する突起を有するとともに、上記第１部材が上記突起と係合して上記第２部材の第１部材に対する回動範囲を所定範囲に規定する回動範囲規定長孔を有してなるのが望ましい。
これにより、第２部材の第１部材に対する姿勢が所望の回動範囲に保たれるので、取付具の取り扱いが容易となる。
【００１２】
上記当接部材の当接面が、上記当接部材の上記第１支軸を中心とする回動半径に対応する曲率で曲げられているのが望ましい。
このような曲率で当接部材の当接面を曲げるものとすることによって、筐体が取付けられる板状部材の厚みが一定ではない場合にも当接部材の角部ではなく当接面を取付孔の周囲の板状部材に当接させて筐体を板状部材に取り付けることが可能となり、より安定した状態で筐体を板状部材に取り付けることができる。
【００１３】
また、本発明は、上記の構成以外に、以下に述べる各構成をそれぞれ有する場合もある。
上記係合部及び案内部が上記筐体の胴部の天板及び／又は底板と側板とに亘って穿設された長孔から成るのが望ましい。
これにより、筐体の胴部の天板及び／又は底板と側板とが交わる角部に孔を穿設するだけで係合部及び案内部を設けることが可能となる。したがって、部品点数の増加を抑えることができる。
【００１４】
上記係合部及び案内部が上記筐体の胴部の天板、底板及び／又は側板の単独にそれぞれ穿設された長孔から成るのが望ましい。
これにより、筐体の胴部の天板及び／又は底板と側板とが交わる角部に孔を穿設する必要がなくなり、角部に孔を空けることによる強度低下を避けることができる。しかしながら、第１支軸を係合部に係合させたり、第２支軸を案内部に係合させたりするときの視認性は低下することがある。
【００１５】
上記第１及び第２の支軸が頭部と軸部とを有し、上記係合部及び上記案内部が上記各軸の頭部を筐体内側に挿し込むための頭部挿込用孔と、この頭部挿込用孔と連続して穿設され上記挿し込まれた頭部の抜けを阻止し且つ上記軸部と係合する軸係合孔とを含むのが望ましい。
これにより、各支軸と、係合部及び案内部との係合操作及び係合解除操作が容易となり、結果として、筐体の取付操作を容易にすることができる。
【００１６】
上記第１部材及び第２部材が板部材からなり、上記当接部材が、上記第２部材の回動端部に立設された板部材からなるのが望ましい。
これにより、取付具の重量の増大を抑えながら、筐体の胴部と取付孔との間に少々の隙間があるような場合にも当接部材を取付孔の周囲の板状部材と確実に当接させて、筐体を板状部材に確実に取り付けることが可能となる。
【００１７】
上記第１部材及び第２部材の周端部に立上り部が設けられているのが望ましい。
これにより、取付具の重量の増大を抑えながら必要十分な取付具の強度を確保することができる。
【００１８】
上記第１部材の立上り部と上記第２部材の立上り部とが上記第２部材の所定の回動位置にて互いに接触して、上記第２部材の回動範囲を所定範囲に規定するように設けられているのが望ましい。
補強用の立上り部を利用して上記第２部材の回動範囲を所定範囲に規定することができるので、他に回動範囲を規定するための機構を設ける必要がなくなり、構成が簡素化される。したがって、工数を削減することができる。
【発明の効果】
【００１９】
本発明によれば、筐体を板状部材に必要十分な強度で固定することができ、且つ取付け及び取外し操作の簡単にすることができるという優れた効果を奏する。
【発明を実施するための最良の形態】
【００２０】
実施形態１
以下、本発明をさらに詳細に説明するが、本発明は以下の最良の形態に何ら限定されるものではなく、その要旨を変更しない範囲において適宜変更して実施することが可能なものである。
【００２１】
図１は本発明の一実施形態に係る筐体取付構造の一例としての、取付具を用いて筐体をパネルに固定した状態の平面図、図２は一部断面を含む側面図である。
図１及び図２に示すように、取付具１は、計器ケース等の筐体２をパネル（板状部材）３に取り付けるために筐体２の胴部２ａに装着されるものである。ここで、図２に示すように、パネル３には、筐体２の胴部２ａを背面側から嵌入するための取付孔４が穿設されている。
また、図３に示すように、筐体２は、操作部及び表示部等を有する前面２ｂの縁につば２ｃが突設されており、胴部２ａを背面側からパネル３の取付孔４に嵌入したときにつば２ｃと取付孔４の周囲のパネルとが当接するようにされている。
【００２２】
図４に、取付具の詳細を示す。
取付具１は、筐体２の胴部に設けられた鉤形の係合孔５（図１）と係合する第１支軸１１が基端部に設けられ、この基端部から先端部に向けて幅が漸増する概略３角形の板部材からなる第１部材１０と、取付孔４の周囲のパネル３と当接する当接部材２１が先端部の一角に設けられ、この先端部から基端部に向けて幅が漸減する概略４角形の板部材からなる第２部材２０とを備える。
第２部材２０は、当接部材２１が設けられた先端部の一角２０ａを回動端部とし、これに対向する基端部の一角２０ｂを回動中心として回動可能に第２支軸１２により第１部材１０と連結されるとともに、この第２支軸１２を中心に第１支軸１２と当接部材２１の当接面２１ａとの距離Ｌが長くなる方向（図４（ｂ）の矢印Ａの方向）に回動するようにトーションバネ１３により付勢されている。ここで、トーションバネ１３は、そのコイル部に第２支軸１２（小ねじ４１の軸部）が挿通され、固定点側端部が第１部材１０のバネ端係止部１０ｆに係止され、作用点側端部が第２部材２０のバネ端係止部２０ｆに係止されている。一方、第１部材１０は、第１支軸１１を回動中心とする回動端部（先端部）の一角１０ａにて第２支軸１２により第２部材２０と連結されている。
【００２３】
ここで、当接部材２１は、その当接面２１ａが、後掲の第２部材２０の回動許容範囲における例えば最小の前記距離Ｌを半径とする曲率で曲げられている。このような曲率で当接部材２１の当接面２１ａを曲げることによって、筐体２が取付けられるパネル３の厚みが一定ではない場合にも当接部材２１の当接面２１ａをパネル３に当接させて筐体２をパネル３に取り付けることが可能となり、より安定した状態で筐体を板状部材に取り付けることが可能となる。
【００２４】
図５に取付具の分解図を示す。
第２部材２０の下面側には第１部材１０との重なり部分に突出するように突起２２が設けられる一方、第１部材１０の第２部材２０との重なり部分には突起２２と係合して第２部材２０の第１部材１０に対する回動許容範囲を規定するための回動範囲規定長孔１４が設けられている。
ここで、第１部材１０及び第２部材２０のそれぞれの前方端部には板部材からなる立上り部１０ｃ、２０ｃが立設されている。このように板部材である第１部材１０及び第２部材２０の端部に立上り部１０ｃ、２０ｃを設けることによって、取付具１０の重量の増大を抑えながら必要十分な強度を確保することができる。
また、第２支軸１２は、例えばトラス頭の十字穴付き小ねじ４１を、第１部材１０の先端部の一角１０ａに穿設されたねじ挿通孔１０ｄ及び第２部材２０の基端部の一角２０ｂに穿設されたねじ挿通孔２０ｄに挿通し、小ねじ４１のねじ頭を第２支軸の頭部１２ａとし、小ねじ４１の軸部を第２支軸の頭部１２ｂとして、頭部１２ａと第１部材１０の下面との間に所定の隙間Ｄを空けてナット３１、３２により両部材１０，２０に留めるようにして構成されている。第１支軸１１も同様に、小ねじ４２を、第１部材１０の基端部に穿設されたねじ挿通孔１０ｅに挿通し、小ねじ４２のねじ頭を第１支軸の頭部１１ａとし、小ねじ４２の軸部を第１支軸の頭部１１ｂとして、頭部１１ａと第１部材１０の下面との間に所定の隙間を空けてナット３３により第１部材１０に留めるようにして構成されている。
【００２５】
次に、筐体２を詳細に説明する。
筐体２の胴部２ａには、前掲の係合部５とセットにして、筐体２をパネル３に取り付ける際に第２支軸と係合して取付具１を所定位置まで回動するように案内する案内孔６が穿設されている。
係合孔５は、胴部２ａの側板５１、５２に穿設され第１支軸１１の頭部１１ａを筐体２の内部に挿し込むための頭部挿込用孔５ａと、この頭部挿込用孔５ａと連続して胴部２ａの天板５３又は底板５４に穿設され、頭部１１ａの抜けを阻止しながら軸部１１ｂと係合して第１支軸１１をつばから所定距離Ｌ１の位置に係止するための係止部５ｃまで誘導する鉤形の軸係合孔５ｂとを含む。
また、案内孔６は、胴部２ａの側板５１，５２に穿設され第２支軸１２の頭部１２ａを筐体２の内部に挿し込む頭部挿込用孔６ａと、この頭部挿込用孔６ａと連続して胴部２ａの天板５３又は底板５４に穿設され、頭部１２ａの抜けを阻止しながら軸部１２ｂと係合して筐体２をパネル３に取付けるときの所定位置までの取付具１の回動を案内する軸係合孔６ｂとを含む。
また、軸係合孔６ｂは天板５３又は底板５４の側端から内側に向けて、第１支軸１１の周りに取付具１が回動されるときの第２支軸１２の軌跡に対応する曲率で曲がるように形成されており、その終端部６ｃが、筐体２をパネル３に取り付けた状態での取付具１の回動位置（所定位置）と対応している。
【００２６】
ここで、図８に示すように、案内孔６の終端部６ｃの位置により決まる、筐体２をパネル３に取り付けた状態での取付具１の回動位置（所定位置）は、第１支軸１１を係止部５ｃにおいて係合孔５と係合させ且つ第２支軸１２を案内孔６と係合させて取付具１を上記所定位置まで回動させたときに、トーションバネ１３の付勢力が最大となる回動位置を若干過ぎるべき位置に設定されている。すなわち、当接部材２１の当接面２１ａとパネル３とが接する点Ｂが、第１支軸１１からパネル３への垂線Ｉとパネル面との交点Ｃよりも筐体２の中央寄りに位置するように上記所定位置は設定される。
このような位置に上記所定位置を設定することによって、筐体２をパネル３に取り付けた状態で、加震等に起因して取付具１が逆方向に回動し、取付具１が外れてしまうのを防止することができる。
【００２７】
しかして、本実施形態において、筐体２をパネル３に取り付ける手順は以下の通りである。
１）第１支軸１１の頭部１１ａを係合孔５の頭部挿込用孔５ａから筐体２内に挿し込み、軸部係合孔５ｂに沿って係止部５ｃまで第１支軸１１を移動させる。
２）第２支軸１２の頭部１２ａを案内孔６の頭部挿込用孔６ａから筐体２内に挿し込むとともに、当接部材２１を取付孔４の周囲のパネル３と当接させる。
３）取付具１をトーションバネ１３の付勢力に抗して第１支軸１１の周りに、第２支軸１２が案内孔６の終端部６ｃに突き当るまで回動させる。これにより、取付具１が上記所定位置まで回動され、当接部材２１により取付孔４の周囲のパネル３がつば２ｃに向かって押圧されて筐体２がパネル３に取り付けられる。
また、筐体２をパネル３から取り外すときには、取付具１を上記所定位置から逆方向に回動させる。これにより、当接部材２１によるパネル３の押圧が解除されて、筐体２がパネル３から取り外し可能となる。
【００２８】
このように、本実施形態では、取付具１の第１支軸１１を係合孔５に係合させる係合操作と取付具１の回動操作とを行うだけで、筐体２のパネル３への取り付け及び取り外しができるために、ねじ回し（ドライバー）等の工具及び煩雑なねじ回し操作を要せずに、ワンタッチの操作で筐体２の取り付け及び取り外しができる。したがって、筐体２の取り付け、取り外しが頻繁に行われる場合に煩雑さが増幅されるのを回避することができる。
また、第２支軸１２が案内孔６と係合して筐体を板状部材に取り付けるときの所定位置までの取付具の第１支軸の周りの回動が案内される。これにより、取付具１を所定位置まで確実に回動させて、筐体２をパネル３に確実に取り付けることが可能となる。一方、筐体２をパネル３から取り外すときにも第２支軸１２が案内孔６と係合して取付具１の第１支軸１１の周りの回動が案内されるので筐体２をパネル３から取り外す取り外し操作が容易となる。
【００２９】
また、実施形態１では、係合孔５及び案内孔６を筐体２の胴部２ａの天板５３及び底板５４と側板５１，５２とに亘って穿設された長孔としているので、第１支軸１１及び第２支軸１２の頭部１１ａ，１２ａを頭部挿込用孔５ａ，６ａに挿し込むときの視認性が良いとともに、孔を穿設するだけで各支軸と係合する係合部及び案内部を設けることが可能となるので、部品点数の増加を抑えることができる。
【００３０】
実施形態２
以下、図９を参照して本発明の実施形態２を説明する。実施形態２は、実施形態１を改変したものであり、係合孔５Ａ及び案内孔６Ａを天板５３及び底板５４に単独にそれぞれ穿設したものである。
すなわち、実施形態２においては、天板５３及び底板５４に係合孔５Ａ及び案内孔６Ａの頭部挿込用孔５Ａａ、６Ａａと軸係合孔５Ａｂ、６Ａｂとが連続して穿設されるとともに、実施形態１と同様の係止部５Ａｃ及び終端部６Ａｃが係合孔５Ａ及び案内孔６Ａにそれぞれ設けられている。
【００３１】
このように、係合孔５Ａ及び案内孔６Ａを天板５３及び底板５４に単独にそれぞれ穿設するものとすることによって、筐体２の胴部２ａの天板５３及び底板５４と側板５１，５２とが交わる角部に孔を穿設する必要がなく、角部に孔を空けることによる強度低下を避けることができる。
【００３２】
〔その他の事項〕
（１）第１部材１０の立上り部１０ｃと第２部材２０の立上り部２０ｃとが第２部材の所定の回動位置で互いに接触して第２部材の回動範囲を所定範囲に規定するように設けるのもよい。これにより、補強用の各立上り部を利用して第２部材の回動許容範囲を設定することができるので、他に回動許容範囲を設定するための機構を設ける必要がなくなり、構成が簡素化される。
（２）当接部材２１の当接面２１ａに、筐体２をパネル３に取り付けるときの取付具１の回動はそのまま許容し且つ筐体２をパネル３から取り外すときの逆方向の回動を困難にする向きに各山の断面が傾斜する滑り止め部（ラチェット部）を設けてもよい。これにより、筐体３の取付状態を更に安定したものとすることができる。
【産業上の利用可能性】
【００３３】
本発明は、例えば前面に操作部及び表示部等を有する計器ケースを制御パネル等に取り付ける場合に用いることができる。
【図面の簡単な説明】
【００３４】
【図１】本発明の実施形態１に係る筐体取付構造の平面図である。
【図２】本発明の実施形態１に係る取付具により筐体をパネルに取り付けたときの一部断面を含む側面図である。
【図３】筐体の一例を示す斜視図である。
【図４】取付具の背面図（ａ）及び平面図（ｂ）である。
【図５】取付具の分解図の背面図（ａ）及び平面図（ｂ）である。
【図６】第２支軸の詳細を示す断面図である。
【図７】筐体２の詳細を示す背面からの斜視図である。
【図８】筐体をパネルに取り付けたときの状態を説明する説明図である。
【図９】本発明の実施形態２に係る筐体取付構造の平面図である。
【符号の説明】
【００３５】
１    取付具
２    筐体
３    パネル（板状部材）
４    取付孔
５    係合孔（係合部）
６    案内孔（案内部）
１１  第１支軸
１２  第２支軸
１３  トーションバネ（付勢部材）
【図１】
2008190932.tif 000003
【図２】
2008190932.tif 000004
【図３】
2008190932.tif 000005
【図４】
2008190932.tif 000006
【図５】
2008190932.tif 000007
【図６】
2008190932.tif 000008
【図７】
2008190932.tif 000009
【図８】
2008190932.tif 000010
【図９】
2008190932.tif 000011